(57)【特許請求の範囲】
【請求項１】
中心部に露出光が通過する主開口を形成した台板と、互いに異なる口径の絞り開口を形成したマスク部と従動部との間で前記台板に設けられた共通の支持軸に回動自在に支持されている２枚の絞り板と、前記各絞り板を前記主開口から退避させるように相反する方向へ付勢している二つのばねと、前記台板に設けられていて前記ばねの付勢力による前記各絞り板の回動を前記主開口から退避したそれらの初期位置で停止させる二つのストッパと、往復回動操作可能な駆動ピンを有していて前記各絞り羽根が前記初期位置にあるときは該駆動ピンを前記二つの従動部間で非接触状態にしておき該駆動ピンを選択的に何れかの方向へ回動させることによって何れか一方の前記従動部に接触させてから該従動部を有する前記絞り板を前記ばねの付勢力に抗して回動させ該絞り板の前記絞り開口を前記主開口に一致させる作動手段と、を備えていることを特徴とするカメラの絞り機構。
【請求項２】
前記各絞り板の絞り開口には、前記主開口を通過する露出光の光量、波長を制限する光学フィルタが配置されていることを特徴とする請求項１に記載のカメラの絞り機構。
【発明の詳細な説明】
【０００１】
【発明の属する技術分野】
本発明はカメラの露出光量を調整する絞り機構に関する。
【０００２】
【背景技術】
周知のように、カメラの絞り機構としては、台板の中心に主開口を形成し、同主開口の周囲に同期運動できる複数枚の絞り板を配置し、これらの絞り板を前記主開口に干渉させて絞り板の相互間に必要な開口面積の絞り開口を形成する機構、または、前記主開口に干渉できる１枚の絞り板の表面に口径の異なる複数個の絞り開口を形成しておき、同絞り板の移動により絞り開口のひとつを主開口に一致させる所謂ターレット式絞り機構が知られている。
【０００３】
【発明が解決しようとする課題】
ところで、同期運動される複数枚の絞り板を備えた前者の絞り機構では、各絞り板の回動姿勢で絞り開口の形状及び開口面積が変化するので、小絞り時の開口面積精度を維持し難いので、最小絞り値の小さなデジタルカメラには不向きである。
この種の絞り機構では、複数枚の絞り板を正確に同期運動させる必要があり、同期機構に加工精度が要求され、部品点数も多いことから、多段階の任意絞りを必要とする高級なカメラには用いることが出来ても、簡易なカメラには適しているとは言えない。
【０００４】
また、１枚の絞り板に面積の異なった（開口径の異なる）多数の絞り開口を形成した後者のターレット式絞り機構では、ある方向に整列された複数の絞り開口の内のひとつを前記主開口に一致させるため、絞り板を円弧運動させるから、絞り板を搭載される台板の外径が大きくなり、カメラの鏡胴部が大型となって、カメラの小型化上の障害となっている。
勿論、このターレット式絞り機構でも、干渉される絞り開口の中心は主開口の中心に正確に一致される必要があるから、絞り板の任意の停止位置の位置決め精度を維持する必要があった。
【０００５】
本発明の目的は、以上に述べたような従来のカメラの絞り機構の問題に鑑み、構造が比較的簡単で、正確な絞り値が得られ、あまり加工精度が要求されることがなく、小型のカメラに適した絞り機構を得るにある。
【０００６】
【課題を解決するための手段】
この目的を達成するため、本発明は、中心部に露出光が通過する主開口を形成した台板と、互いに異なる口径の絞り開口を形成したマスク部と従動部との間で前記台板に設けられた共通の支持軸に回動自在に支持されている２枚の絞り板と、前記各絞り板を前記主開口から退避させるように相反する方向へ付勢している二つのばねと、前記台板に設けられていて前記ばねの付勢力による前記各絞り板の回動を前記主開口から退避したそれらの初期位置で停止させる二つのストッパと、往復回動操作可能な駆動ピンを有していて前記各絞り羽根が前記初期位置にあるときは該駆動ピンを前記二つの従動部間で非接触状態にしておき該駆動ピンを選択的に何れかの方向へ回動させることによって何れか一方の前記従動部に接触させてから該従動部を有する前記絞り板を前記ばねの付勢力に抗して回動させ該絞り板の前記絞り開口を前記主開口に一致させる作動手段と、を備えているようにする。
【０００７】
その場合、前記各絞り板の絞り開口には、前記主開口を通過する露出光の光量、波長を制限する光学フィルタが配置されているようにしてもよい。
【０００８】
【発明の実施の形態】
以下、図面を用いて本発明の実施例を詳細に説明する。
図面において、符号１は、レンズ鏡胴２に設けられている台板であって、この台板１の中心部には、主開口３が形成されている。
【０００９】
前記台板１の表面には支持軸４が設けられており、この支持軸４には、全体を「く」の字状に形成された一対の絞り板５Ａ，５Ｂの屈曲部がそれぞれ自由に回動できる状態に支持されている。これらの各絞り板５Ａ，５Ｂは前記台板１の係止ピン６Ａ，６Ｂとの間に掛け渡したリターンスプリング７Ａ，７Ｂによりそれぞれ反対方向に付勢されていて、台板１の表面に設けられたストッパピン８Ａ，８Ｂによりそれぞれ係止されている。
【００１０】
前述した各絞り板５Ａ，５Ｂは前記主開口３の開口面積よりも広い面積のマスク部５ａをそれらの一端部に備え、同マスク部５ａは、各絞り板５Ａ，５Ｂが対応するストッパピン８Ａ，８Ｂに係止されるとき、主開口３から退避した図１の実線示の位置をとることができる。
また、前記絞り板５Ａ，５Ｂのマスク部５ａの中心には口径の異なった絞り開口９Ａ，９Ｂがそれぞれ形成されているから、これらの絞り開口９Ａ，９Ｂが主開口３に一致されると、主開口３を通過する露出光が同絞り開口９Ａ，９Ｂの開口径に制限され、開口絞りが絞られることになる。
【００１１】
前記両絞り板５Ａ，５Ｂはマスク部５ａとは反対側の端部に従動部５ｂを備えていて、図２に拡大して示すように、これらの従動部５ｂは各絞り板５Ａ，５Ｂがストッパピン８Ａ，８Ｂでそれぞれ係止された初期位置にあるときに、間隔Ｌを保った略平行な状態にある。
これらの従動部５ｂの間にはロータリソレノイド１０の作動アーム１１の先端に設けられた駆動ピン１２が位置しているが、この駆動ピン１２の外径は二つの従動部５ｂ間の前記間隔Ｌよりも充分に小さくしてあり、各絞り板５Ａ，５Ｂが初期位置にあるとき、両従動部５ｂに対して駆動ピン１２が非接触状態を保つように意図してある。
これは、作動アーム１１の回動開始後に、対応する絞り板５Ａ，５Ｂの回動操作を開始するようにすることを意図したもので、このような構成を採用することにより各絞り板５Ａ，５Ｂの正確な初期位置の確保と、絞り板５Ａ，５Ｂ等の加工精度の影響を極力なくすことができる。
【００１２】
前記台板１の外周部分に設けられたロータリソレノイド１０は、出力軸１０ａに固定された作動アーム１１の先端部に駆動ピン１２を設け、左右方向に回動操作される作動アーム１１の駆動ピン１２で両絞り板５Ａ，５Ｂを選択的に主開口３に干渉させるものであるが、本発明においては、ロータリソレノイド１０の代わりに他の形式の作動装置を用いることができる。
【００１３】
なお、図示実施例においては、一対の絞り板５Ａ，５Ｂを用いた絞り機構を示すが、絞り板５Ａ，５Ｂの枚数は任意であり、また、本発明は、絞り板５Ａ，５Ｂのマスク部５ａに形成する口径の異なる絞り開口９Ａ，９Ｂの代わりに、主開口３を通過する露出光の光量、波長を制限する光学フィルタを取り付けたものとして実施することもできる。
【００１４】
図示実施例によるカメラの絞り機構は、以上のような構造であるから、通常状態においては、リターンスプリング７Ａ，７Ｂにより各絞り板５Ａ，５Ｂが付勢されてストッパピン８Ａ，８Ｂでそれぞれ係止した図１の状態にあるから、各絞り板５Ａ，５Ｂのマスク部５ａは主開口３から退避された位置にあり、主開口３の開口面積が露出光の全開放絞り状態となる。
【００１５】
次に、図３に示すように、指令信合によりロータリソレノイド１０の作動アーム１１が反時計方向に回動されると、同作動アーム１１の回動開始後に駆動ピン１２が絞り板５Ａの従動部５ｂに接触し、同絞り板５Ａを支持軸４を中心として時計方向に回動させるので、絞り板５Ａの絞り開口９Ａが主開口３に一致され、主開口３を通過する露出光が絞り開口９Ａの口径に制限されることになる。
この場合、図示実施例の構造では、作動アーム１１の回動端において、絞り板５Ａは支持軸４を中心としてほとんど回動しないようになるので、作動アーム１１の回動誤差の影響を受けずに、絞り板５Ａの絞り開口９Ａの中心を主開口３の中心に一致させることができるという利点がある。
【００１６】
また、図４に示すように、指令信号によりロータリソレノイド１０の作動アーム１１が時計方向に回動される場合には、図３の場合と同様に、同作動アーム１１の回動開始後に駆動ピン１２が絞り板５Ｂの従動部５ｂに接触するが、この場合には、その後、同絞り板５Ｂを支持軸４を中心として反時計方向に回動させるので、開口面積の最小な絞り板５Ｂの絞り開口９Ｂが主開口３に一致され、主開口３を通過する露出光が絞り開口９Ｂの口径に制限されることになる。
【００１７】
【発明の効果】
以上の説明から明らかなように、請求項１記載の発明によれば、小型で部品点数が少なく、加工精度を要求されることがない簡易なカメラの絞り機構を得ることができる。また、作動手段として、制御が比較的簡単なロータリソレノイドを用いた場合には、絞り板を正確に作動できるばかりでなく、外部振動等に対しても安定した構造となる。
そして、請求項２に記載された発明では、簡易な光学フィルタ投入装置が得られる効果がある。
【図面の簡単な説明】
【図１】本発明による絞り機構の平面図である。
【図２】同絞り機構の要部拡大平面図である。
【図３】第１絞り状態の同絞り機構の平面図である。
【図４】第２絞り状態の同絞り機構の平面図である。
【符号の説明】
１            台板
２            レンズ鏡胴
３            主開口
４            支持軸
５Ａ，５Ｂ    絞り板
５ａ          マスク部
５ｂ          従動部
６Ａ，６Ｂ    係止ピン
７Ａ，７Ｂ    リターンスプリング
８Ａ，８Ｂ    ストッパピン
９Ａ，９Ｂ    絞り開口
１０          ロータリソレノイド
１１          作動アーム
１２          駆動ピン
【図１】
0004131758.tif 000002
【図２】
0004131758.tif 000003
【図３】
0004131758.tif 000004
【図４】
0004131758.tif 000005